(57)【要約】光源（１）から空間（例えば、光学デバイスがカメラフラッシュユニットとして使用されるときのカメラ視野）の領域に光を導く光学デバイスが提供される。このデバイスは、領域の内側部分に向かう光源（１）からの光を集束する第一の光学素子（３）を備える。このデバイスは、また、第二の光学素子（５）を備え、この第二の光学素子（５）は、第一の光学素子（３）からこの領域の外側部分に外側へと向かう光の一部を発散し、照明されるべき領域にわたって照明の均一性を改善するとともに、中心部での適切な照明を達成するように、この外側部分が照明される。一例において、該第二の素子（５）は、オープンベースの逆切頭角錐の形状の平面ファセット（７〜１１）を備える凹型マルチファセット表面を有する。別の例において、第二の素子（５）は、隣接するセクタ形状のファセット（３１〜３８）を備えるマルチファセット表面を有する。
2008524636.tif 000002
【特許請求の範囲】
【請求項１】
発光体（１）から空間の所定の二次元領域（１５）に光を導く光学デバイスであって、
該発光体（１）は、該デバイスに対する第一の所定の位置に位置し、該領域（１５）は、該デバイスに対する第二の所定の位置に位置し、
該デバイスは、該領域（１５）の内側部分（１７）に向けて自身に入射する光を集束する第一の光学素子（３）を備え、
該デバイスは、該領域（１５）の少なくとも１つの外側部分（１９）に外側に向けて自身に入射する該光の一部を発散する屈折性の第二の光学素子（５）を備えることを特徴とし、
該第二の素子（５）は、オープンベースの逆切頭角錐の形状に平面ファセット（７〜１１）を備える凹型マルチファセット表面を有する、デバイス。
【請求項２】
発光体（１）から空間の所定の二次元領域（１５）に光を導く光学デバイスであって、
該発光体（１）は、該デバイスに対する第一の所定の位置に位置し、該領域（１５）は、該デバイスに対する第二の所定の位置に位置し、
該デバイスは、該領域（１５）の内側部分（１７）に向けて自身に入射する光を集束する第一の光学素子（３）を備え、
該デバイスは、該領域（１５）の少なくとも１つの外側部分（１９）に外側に向けて自身に入射する該光の一部を発散する屈折性の第二の光学素子（５）を備えることを特徴とし、
該第二の素子（５）は、複数の隣接するセクタ形状のファセット（３１〜３８）を備えるマルチファセット表面を有し、該ファセット（３１〜３８）のうちの少なくとも一部（３２〜３４、３６〜３８）は、凹型である、デバイス。
【請求項３】
前記凹型ファセット（３２〜３４、３６〜３８）は、少なくとも２つの異なる曲率半径を有することを特徴とする、請求項２に記載のデバイス。
【請求項４】
前記凹型ファセット（３２〜３４、３６〜３８）は、少なくとも２つの異なる曲率中心を有することを特徴とする、請求項２または請求項３に記載のデバイス。
【請求項５】
前記ファセットの一部（３１、３５）は、凸型であることを特徴とする、請求項２〜請求項４のいずれか１項に記載のデバイス。
【請求項６】
前記ファセットの少なくとも１つは、平面であることを特徴とする、請求項２〜請求項５のいずれか１項に記載のデバイス。
【請求項７】
前記ファセット（３１〜３８）の少なくとも一部は、円柱状であることを特徴とする、請求項２〜請求項６のいずれか１項に記載のデバイス。
【請求項８】
発光体（１）から空間の所定の二次元領域（１５）に光を導く光学デバイスであって、
該発光体（１）は、該デバイスに対する第一の所定の位置に位置し、該領域（１５）は、該デバイスに対する第二の所定の位置に位置し、
該デバイスは、該領域（１５）の内側部分（１７）に向けて自身に入射する光を集束する第一の光学素子（３）を備え、
該デバイスは、該領域（１５）の少なくとも１つの外側部分（１９）に外側に向けて自身に入射する該光の一部を発散する屈折性の第二の光学素子（５）を備えることを特徴とし、
該第二の素子（５）は、第一の発散部分（４１、６１）と第二の発散部分（４２、６２）の間に配置された細長い部分（４０、６０）に分割された面を有する、デバイス。
【請求項９】
前記細長い部分（４０）は、発散することを特徴とする、請求項８に記載のデバイス。
【請求項１０】
前記細長い部分（４０）は、該細長い部分（４０）の長手方向に実質的に平行な円柱軸を有する円柱状凹型であることを特徴とする、請求項９に記載のデバイス。
【請求項１１】
前記細長い部分（６０）は、平面であることを特徴とする、請求項８に記載のデバイス。
【請求項１２】
前記第一の部分（４１）および前記第二の部分（４２）は、円柱状凹型であることを特徴とする、請求項８〜請求項１１のいずれか１項に記載のデバイス。
【請求項１３】
前記第一の部分（４１）および前記第二の部分（４２）は、共通の円柱状表面のパーツを備えることを特徴とする、請求項１２に記載のデバイス。
【請求項１４】
前記第一の部分（４１）および前記第二の部分（４２）は、前記細長い部分（４０）の長手方向に実質的に垂直な円柱軸を有することを特徴とする、請求項１２または請求項１３に記載のデバイス。
【請求項１５】
前記第一の部分（６１）および前記第二の部分（６２）は、前記細長い部分（６０）の長手方向に実質的に垂直に延びる溝（６６）のアレイを備えることを特徴とする、請求項８〜請求項１１のいずれか１項に記載のデバイス。
【請求項１６】
前記溝（６６）は、実質的に連続であることを特徴とする、請求項１５に記載のデバイス。
【請求項１７】
前記溝（６６）は、実質的に三角形の断面を有することを特徴とする、請求項１５または請求項１６に記載のデバイス。
【請求項１８】
前記第一の素子（３）および前記第二の素子（５）は、単一のピースの屈折材料に形成されることを特徴とする、請求項１〜請求項１７のいずれか１項に記載のデバイス。
【請求項１９】
前記第一の素子（３）および前記第二の素子（５）は、前記ピースの第一の表面および第二の表面に形成されることを特徴とする、請求項１８に記載のデバイス。
【請求項２０】
前記第一の素子（３）および前記第二の素子（５）は、前記ピースの共通表面に形成されることを特徴とする、請求項１８に記載のデバイス。
【請求項２１】
前記第一の素子（３）および前記第二の素子（５）の一方は、該第一の素子（３）および該第二の素子（５）の他方のサブ構造（５３）を備えることを特徴とする、請求項２０に記載のデバイス。
【請求項２２】
前記第一の素子（３）および前記第二の素子（５）の少なくとも一方は、空間の前記所定の二次元空間領域（１５）のサイズを変化させる制御可能な可変光学性能を有することを特徴とする、請求項１〜請求項２１のいずれか１項に記載のデバイス。
【請求項２３】
前記第一の素子（３）および前記第二の素子（５）の前記少なくとも一方は、液晶レンズを備えることを特徴とする、請求項２２に記載のデバイス。
【請求項２４】
前記第一の素子（３）および前記第二の素子（５）の前記少なくとも一方は、光軸方位角が制御可能である液晶層の軸に実質的にインデックスが合致するレンズを備えることを特徴とする、請求項２２に記載のデバイス。
【請求項２５】
発光体（１）から空間の所定の二次元領域（１５）に光を導く光学デバイスであって、
該発光体（１）は、該デバイスに対する第一の所定の位置に位置し、該領域（１５）は、該デバイスに対する第二の所定の位置に位置し、
該デバイスは、該領域（１５）の内側部分（１７）に向けて自身に入射する光を集束する第一の光学素子（３）を備え、
該領域（１５）の少なくとも１つの外側部分（１９）に該第一の光学素子（３）を介して外側に向けて自身に入射する該光の一部を発散する屈折性の第二の光学素子（５）を備えることを特徴とする、デバイス。
【請求項２６】
前記第二の素子（５）は、鏡面反射であることを特徴とする、請求項２５に記載のデバイス。
【請求項２７】
前記第二の素子（５）は、外部に反射する全体的に円環状の表面の一部を備えること特徴とする、請求項２５または請求項２６に記載のデバイス。
【請求項２８】
前記第一の素子（３）は、空間の前記所定の二次元空間領域（１５）のサイズを変化させる制御可能な可変光学性能を有することを特徴とする、請求項２５〜請求項２７のいずれか１項に記載のデバイス。
【請求項２９】
前記第一の素子（３）は、液晶レンズを備えることを特徴とする、請求項２８に記載のデバイス。
【請求項３０】
前記第一の素子（３）は、光軸方位角が制御可能である液晶層の軸に実質的にインデックスが合致するレンズを備えることを特徴とする、請求項２８に記載のデバイス。
【請求項３１】
前記第二の素子（５）は、前記領域（１５）の複数の外側部分（１９）に向かって入射する前記光の前記一部を発散するようにアレンジされることを特徴とする、請求項１〜請求項３０のいずれか１項に記載のデバイス。
【請求項３２】
前記領域（１５）は、全体的に長方形であることを特徴とする、請求項１〜請求項３１のいずれか１項に記載のデバイス。
【請求項３３】
前記外側部分（１９）は、前記全体的に長方形の領域（１５）のコーナー部分を備えることを特徴とする、請求項３２に記載のデバイス。
【請求項３４】
前記第一の素子（３）は、集光素子であることを特徴とする、請求項１〜請求項３３のいずれか１項に記載のデバイス。
【請求項３５】
前記第一の素子（３）は、屈折素子であることを特徴とする、請求項１〜請求項３４のいずれか１項に記載のデバイス。
【請求項３６】
前記第一の素子（３）は、凸型表面を有することを特徴とする、請求項３５に記載のデバイス。
【請求項３７】
前記第一の素子（３）は、ホログラフィック光学素子を備えることを特徴とする、請求項１〜請求項３４のいずれか１項に記載のデバイス。
【請求項３８】
請求項１〜請求項３７のいずれか１項に記載のデバイスと、少なくとも１つの発光体（１）とを備えることを特徴とする、光源。
【請求項３９】
前記第一の素子（３）は、前記少なくとも１つの発光体（１）と前記第二の素子（５）との間の光の経路に配置されることを特徴とする、請求項３８に記載の光源。
【請求項４０】
前記少なくとも１つの発光体（１）は、ランベルト発光体を備えることを特徴とする、請求項３８または請求項３９に記載の光源。
【請求項４１】
前記ランベルト発光体は、少なくとも１つの発光ダイオード（１）を備えることを特徴とする、請求項４０に記載の光源。
【請求項４２】
カメラフラッシュユニットを備えることを特徴とする、請求項３８〜請求項４１のいずれか１項に記載の光源。
【請求項４３】
請求項４２に記載の光源と、カメラとを備えることを特徴とする、装置。
【請求項４４】
モバイル電話またはセルラ電話、あるいはモバイル情報端末機器（ＰＤＡ）を備えることを特徴とする、請求項４３に記載の装置。
【発明の詳細な説明】
【技術分野】
【０００１】
本発明は、光学デバイスと、そのような光学デバイスを含む光源とに関する。このようなデバイスは、光源によるエリアにおける照明の均一性を改善するために、光源の付属品として、あるいは光源の一部として使用され得る。このようなデバイスおよび光源は、カメラ（例えば、カメラ設備を組み込んだモバイル（「セルラ」）電話）を含む装置に使用され得る。本発明は、また、このような装置にも関する。しかしながら、このようなデバイスおよび光源は、コンパクトな懐中電灯およびスポットライトのような他の用途にも使用され得る。
【背景技術】
【０００２】
カメラ（デジタルまたはフィルム）用フラッシュユニットに使用される公知のレンズ構造のタイプは、円形または長方形の輪郭を有する通常またはフレネル型の「円形」レンズであることが多い。このようなフラッシュユニットによって提供される輝度は、比較的高いが、カメラの視野にわたる照明の均一性は、比較的低い。このように照明の均一性に劣る影響は、広角写真において特に強調される。この結果、視野の側面および視野のコーナーにある被写体の画像は、写真において、比較的薄暗く（ｄｉｍ）なること、あるいは見えなくなることすらあり得る。
【０００３】
この理由の一つは、カメラ視野が全体的に長方形であるのに対し、光学系が円形でありがちだからである。この他の理由の一つは、フラッシュユニットまたは他の光源の放射プロファイルに起因する。光学系を一切有しない等方性発光体の場合、光源から固定距離にある長方形平面のコーナーでの光束は、長方形平面の中心での光束のｃｏｓ３θ倍で与えられる。ここで、発光体で測定された角度θは、長方形平面の中心に対する法線と、発光体から長方形平面のコーナーへの直線とのなす角度である。角度θが約３７°である典型的な例において、その結果得られる均一性（コーナーでの光束と中心部での光束の比）は、約５１％である。発光ダイオード（ＬＥＤ）発光体のようなランベルト発光体の場合、均一性は、ｃｏｓ４θに等しく、θ＝３７°の特定の例において、約４２％である。
【０００４】
一般的に、周知のように、視野を狭くすることによって、集光光学素子のみを用いて、良好な照明の均一性を得ることが可能である。しかしながら、広い視野に対しては、光源からのフィールド自身の上への照明が減少するとき、すなわち、光源のみの照明が、中心に比べて小さくなるとき、この均一性を得ることは、さらに困難になる。旧式のフラッシュにおいて、フラッシュバルブを使用すると、光源は、等方性として最も便宜的にモデル化され、照明は、平面上への角度にともなって、それほど速く減少しない。しかしながら、ランベルト光源として最も便宜的にモデル化されるＬＥＤのような面光源において、照明は、角度にともなって非常に速く減少し、このことが高角度で良好な均一性を得ることをさらに難しくしている。ＬＥＤは、フラッシュバルブよりも良好なパワー特性を有し、それゆえ、例えば、モバイルデバイスにおいて、より多く使用される傾向にある。また、モバイルデバイス内のカメラが、機械的ズームまたは取り外し可能なレンズを有することは考えにくい。このようなモバイルカメラの固定視野は、通常は汎用の視野角を与えるように設定され、上記視野角は、典型的には約７０〜７５°以上の対角線視野であり得る。さらに、設計の不確かさと、フラッシュとカメラとがデバイス上で同位置にない（視差）という現実を許容するために、照明平面が、実際のカメラ視野よりも幾分か大きいことが有益である。
【０００５】
レンズは、照明輝度を改善するために、カメラフラッシュユニットに一般的に提供される。このような配置によって、視野の中心での輝度は改善される。しかしながら、このようなレンズの集束する性質は、光を視野のエッジ部から遠ざけ、視野の中心へと向かうように導く傾向があり、中心での輝度を増加させるが、必然的に、視野全体にわたる照明の均一性を、特に、ランベルト照明を有する広視野に対して低下させる。
【０００６】
本特許において、表面の湾曲のデカルト座標（Ｘ，Ｙ，Ｚ）の形状（Ｚは表面の「たわみ（ｓａｇ）」として公知である）が、等式：
【０００７】
【数１】
2008524636.tif 000003
を満たす場合、湾曲レンズ表面は「球状」のものとして意味される。ここで、Ｒは、表面での曲率半径である。
【０００８】
「非球状」表面は、
【０００９】
【数２】
2008524636.tif 000004
で定義される。ここで、Ｒは、中心での曲率半径であり、Ｋは、円錐定数、Ａｐは、整数値ｐ＞１に対する高次の係数である。
【００１０】
「非対称」表面は、上述の等式によって規定されるが、（Ｘ２＋Ｙ２）が（ｎＸ２＋ｍＹ２）によって置換される。ここで、ｎ≠０、ｍ≠０、およびｎ≠ｍである。
【００１１】
「円柱状」表面は、ｎまたはｍのいずれかが０である。
【００１２】
「アナモルフィック」表面は、表面を記述する関数が上記以外であり、異なる非球状関数、円柱状関数、または非対称関数の２つの和、あるいはこれらの組み合わせの関数であり得る。
【００１３】
「平面」表面または「光学的に平坦な表面」は、Ｒが無限大である球状表面である。
【００１４】
本記載におけるレンズ表面に関する言及は、タイプに関しての特記がない限り、上記の表面のタイプの任意のものを意味し得る。
【００１５】
特許文献１は、カメラフラッシュアセンブリ用にアナモルフィックレンズを使用することを開示している。この配置は、照明を制御するために、標準レンズ形状から離れるように改変されている少なくとも１つのレンズアセンブリを有する。このよう配置は、全集束素子を用い、広視野またはランベルトＬＥＤ光源に関する問題を有する。
【００１６】
特許文献２は、カメラ用フラッシュユニットの照明の均一性を改善するために、フラッシュバルブとフレネルレンズコンデンサとの背後に、非対称楕円反射体（２つの同一の半楕円ミラーが配置され、これらのミラーの軸が、ギャップを補う平坦なミラーと異なる場所に置かれる）を使用することを開示している。この配置は、全集束素子を有し、それゆえ、広視野またはランベルトＬＥＤ光源に関する問題を有する。しかしながら、後方に装着されたミラーは、ＬＥＤのような表面発光体にとって役に立たない。また、このような配置は、サイズが大きいものであり、モバイルデバイスに装着するのが困難である。
【００１７】
特許文献３は、照明の均一性を改善するために、フラッシュバルブの周囲に球状および非球状レンズアセンブリを使用することを開示している。再び、全集束素子が使用され、これは、広視野またはランベルトＬＥＤ光源に関する問題を有する。この配置は、電球に特有であり、サイズが大きく、モバイルデバイスに装着するのが困難である。
【００１８】
特許文献４は、集束パワーを改善するために、２つの表面（１つは通常集束表面で、１つは全反射（ＴＩＲ）を利用するフレネル状表面）を利用する追加素子を含む配置を開示している。このような配置は、高輝度を提供するが、可視である１つ以上の「輝点（ｂｒｉｇｈｔ  ｓｐｏｔ）」の生成ともに、劣った照明の均一性を提供する。この配置は、フラッシュランプに特有であり、線形体積光源（ｌｉｎｅａｒ  ｖｏｌｕｍｅ  ｓｏｕｒｃｅ）および後方反射体を要求する。ＴＩＲ素子は、高角度光をより前に導くように設計され、この点において、ＴＩＲ素子は、集束素子である。
【００１９】
特許文献５は、照明面積を広くするためのミラーシステムを開示している。しかしながら、このような配置は、比較的かさばるもの（ｂｕｌｋｙ）であり、比較的コンパクトな携帯またはモバイルデバイスに不便であり、あるいは不適切である。このような配置は、大面積アダプタ（ｌａｒｇｅ  ａｒｅａ  ａｄａｐｔｅｒ）の形式であり、かさばり、小さなモバイルデバイスに適用するのは、困難である。さらに、この配置は、照明の輝度を改善しない。
【００２０】
特許文献６〜１０は、フラッシュビームの焦点を変更する様々な技術を開示している。これらの特許文献は、カメラズームに応答して、照明面積を変更することに、主に重点を置いている。特許文献６は、光の発散を変更する切り替えレンズシステムを記載している。特許文献７〜９も、また、シフトする集束レンズシステムを記載している。特許文献１０は、最適照明パラメータを確認するために、フラッシュを２回浴びせ、これらの最適パラメータがフラッシュユニットに送信されるシステムを記載している。これらの配置の全ては、上述された固有の問題を有する既存の全集束光学システム設計の改変に関する。適用可能なフラッシュズームは、技術的により複雑であり、小さなモバイルデバイスに適用するのは困難である。
【００２１】
特許文献１１は、集束反射体と、４つのセクタに分割されたプリズム配置によって形成される発散素子とを備える光学デバイスを開示している。
【００２２】
特許文献１２は、凝縮（ｃｏｎｄｅｎｓｉｎｇ）システムを備える光源を有する映画投影機を開示している。平行な軸を有する円柱状発散レンズに続く円柱状発散レンズが、凝縮システム内に提供される。
【００２３】
特許文献１３は、レーザ放射を均質化する配置を開示している。この配置は、光学的に集束する「非中心性」レンズセグメントの形式である「レンズ状」を備える。これに、集束「集光（ｃｏｌｌｅｃｔｉｎｇ）」レンズが続く。
【００２４】
特許文献１４は、レーザダイオードからの光ビームを円状にする配置を開示している。この配置はコリメーティングレンズを備え、これに、円柱状発散ミニレンズが続く。
【００２５】
特許文献１５は、投影機光源を開示している。発散レンズが集束凝縮レンズの前に配置される。発散レンズは、中央領域より曲率の低い周辺領域を有する凹型表面を有する。
【００２６】
特許文献１６は、レーザビームの視差を維持しながら、そのレーザビームを均質化する配置を開示している。このデバイスは、２つの非球状レンズを備える。第一のレンズは、より均一な照明を第二のレンズに提供するように、レーザビームの中心から大きく発散する。第二のレンズは、その光を再度コリメートする。デバイスを介する全ての光学経路は、入射光の波面形状を保つために、同じ光学長さを有する。
【００２７】
特許文献１７は、ＬＥＤオーバヘッド交通信号を開示している。ＬＥＤのアレイにおいて、各ＬＥＤは、円錐反射体と、フレネル「レンズ」と称されるものとを提供される。しかしながら、この後者のデバイスは、フレネルプリズムであると分かる。このデバイスの目的は、光を下方に効果的にそらすためである。
【００２８】
特許文献１８は、ＬＥＤ車両用灯具を開示している。各ＬＥＤは、円柱状反射体の一端に配置される。反射体の出力は、フレネルレンズと集束レンズとの間を通過する。
【００２９】
特許文献１９は、バーコードリーダ用の光源を開示している。光源は、１つ以上のＬＥＤを備え、このＬＥＤまたは各ＬＥＤは、一次元集束レンズの背後に配置される。この一次元集束レンズは、円柱状湾曲を有するものとは、その湾曲が縦軸からの距離とともに変化する円筒状湾曲を有する点で異なる。このレンズに、その縦軸に沿って異なる曲率半径を有する半円柱状レンズが続く。こうして、双方のレンズは、集束する。
【００３０】
特許文献２０は、ＬＣＤテレビ用のバックライトを開示している。このバックライトは、集束レンズの焦点に光源を備え、こうして、平行光ビームを出力する。この光ビームは、マイクロプリズムアレイによって、ＬＣＤに拡散光を供給するための「散乱」表面に垂直に反射される。
【００３１】
特許文献２１は、動作表面にわたって均一な照明を提供することを意図とした表面光源を開示している。この資料の図１６は、マイクロプリズム構造の内部表面を有する平坦な出力素子を示す。この出力素子の中心の下に、光を反射して出力表面から遠ざける凹型集束ミラーを有する光源がある。この構造の下に、マイクロプリズム表面の均一照明を提供する湾曲反射構造がある。これは、次いで、出力光を新たな向きに導く。この光源の直下に、反射構造の穴がある。その穴のエッジは、凸型に反射し、それゆえ、出力表面の中心に光を反射するように発散し、小さな凹型ミラーに起因する影を埋める（ｆｉｌｌ  ｔｈｅ  ｓｈａｄｏｗ）。
【００３２】
特許文献２２は、Ｘ線装置を設定するのに使用するＬＥＤ光源を開示している。ＬＥＤは、組み込み（ｉｎｔｅｇｒａｌ）集束レンズを有し、一部の実施形態は、放物面反射体または楕円反射体を有し、これらの反射体もまた集束する。この文献の図１７は、凹凸レンズのようなものを示し、この資料の図１８は、発散レンズを示す。
【特許文献１】米国特許第５，６１５，３９４号明細書
【特許文献２】米国特許第５，１６０，１９２号明細書
【特許文献３】米国特許第４，４６２，０６３号明細書
【特許文献４】米国特許第６，０８８，５４０号明細書
【特許文献５】米国特許第５，７７８，２６４号明細書
【特許文献６】米国特許出願公開第２００２／０００９２９７号明細書
【特許文献７】米国特許出願公開第２００１／００２８７９２号明細書
【特許文献８】米国特許第６，４９６，６５０号明細書
【特許文献９】米国特許第６，７７１，８９８号明細書
【特許文献１０】欧州特許出願公開第０，７５６，１９５号明細書
【特許文献１１】英国特許出願公開第１，３９１，６７７号明細書
【特許文献１２】英国特許出願公開第８１８，２２９号明細書
【特許文献１３】米国特許第５，７６９，５２１号明細書
【特許文献１４】米国特許第５，５５３，１７４号明細書
【特許文献１５】国際公開第９７／３８３５２号パンフレット
【特許文献１６】英国特許出願公開第１，１４４，１８２号明細書
【特許文献１７】米国特許第６，２８３，６１３号明細書
【特許文献１８】特開２００３−３３１６１２号公報
【特許文献１９】英国特許出願公開第２２，２５８，６５９号明細書
【特許文献２０】米国特許第４，７３７，８９６号明細書
【特許文献２１】米国特許第４，５１０，５６０号明細書
【特許文献２２】米国特許出願公開第２００４／０１３１１５７号明細書
【発明の開示】
【課題を解決するための手段】
【００３３】
本発明の第一の局面に従うと、発光体から空間の所定の二次元領域に光を導く光学デバイスであって、該発光体は、該デバイスに対する第一の所定の位置に位置し、該領域は、該デバイスに対する第二の所定の位置に位置し、該デバイスは、該領域の内側部分に向けて自身に入射する光を集束する第一の光学素子を備え、該領域の少なくとも１つの外側部分に外側に向けて自身に入射する該光の一部を発散する屈折性の第二の光学素子を備えることを特徴とし、該第二の素子は、オープンベースの逆切頭角錐の形状の平面ファセットを備える凹型マルチファセット表面を有する、デバイスが提供される。
【００３４】
本発明の第二の局面に従うと、発光体から空間の所定の二次元領域に光を導く光学デバイスであって、該発光体は、該デバイスに対する第一の所定の位置に位置し、該領域は、該デバイスに対する第二の所定の位置に位置し、該デバイスは、該領域の内側部分に向けて自身に入射する光を集束する第一の光学素子を備え、該領域の少なくとも１つの外側部分に外側に向けて自身に入射する該光の一部を発散する屈折性の第二の光学素子を備えることを特徴とし、該第二の素子は、複数の隣接するセクタ形状のファセットを備えるマルチファセット表面を有し、該ファセットのうちの少なくとも一部は、凹型である、デバイスが提供される。
【００３５】
上記凹型ファセットは、少なくとも２つの異なる曲率半径を有し得る。
【００３６】
上記凹型ファセットは、少なくとも２つの異なる曲率中心を有し得る。
【００３７】
上記ファセットの一部は、凸型であり得る。
【００３８】
上記ファセットの少なくとも１つは、平面であり得る。
【００３９】
上記ファセットの少なくとも一部は、円柱状であり得る。
【００４０】
本発明の第三の局面に従うと、発光体から空間の所定の二次元領域に光を導く光学デバイスであって、該発光体は、該デバイスに対する第一の所定の位置に位置し、該領域は、該デバイスに対する第二の所定の位置に位置し、該デバイスは、該領域の内側部分に向けて自身に入射する光を集束する第一の光学素子を備え、該領域の少なくとも１つの外側部分に外側に向けて自身に入射する該光の一部を発散する屈折性の第二の光学素子を備えることを特徴とし、該第二の素子は、第一の発散部分と第二の発散部分との間に配置された細長い部分に分割された面を有する、デバイスが提供される。
【００４１】
上記細長い部分は、発散し得る。該細長い部分は、該細長い部分の長手方向に実質的に平行な円柱軸を有する円柱状凹型であり得る。
【００４２】
上記細長い部分は、平面であり得る。
【００４３】
上記第一の部分および上記第二の部分は、円柱状凹型であり得る。該第一の部分および該第二の部分は、共通の円柱状表面のパーツを備え得る。該第一の部分（４１）および該第二の部分は、上記細長い部分の長手方向に実質的に垂直な円柱軸を有し得る。
【００４４】
上記第一の部分および上記第二の部分は、上記細長い部分の長手方向に実質的に垂直に延びる溝のアレイを備え得る。該溝は、実質的に連続であり得る。該溝は、実質的に三角形の断面を有し得る。
【００４５】
上記第一の素子および上記第二の素子は、単一のピースの屈折材料に形成され得る。該第一の素子および該第二の素子は、該ピースの第一の表面および第二の表面に形成され得る。該第一の素子および該第二の素子は、該ピースの共通表面に形成され得る。該第一の素子および該第二の素子の一方は、該第一の素子および該第二の素子の他方のサブ構造を備え得る。
【００４６】
上記第一の素子および上記第二の素子の少なくとも一方は、空間の上記所定の二次元空間領域のサイズを変化させる制御可能な可変光学性能を有し得る。該第一の素子および該第二の素子の該少なくとも一方は、液晶レンズを備え得る。代替として、該第一の素子および該第二の素子の該少なくとも一方は、光軸方位角が制御可能である液晶層の軸に実質的にインデックスが合致する（ｉｎｄｅｘ−ｍａｔｃｈｅｄ）レンズを備え得る。
【００４７】
本発明の第四の局面に従うと、発光体から空間の所定の二次元領域に光を導く光学デバイスであって、該発光体は、該デバイスに対する第一の所定の位置に位置し、該領域は、該デバイスに対する第二の所定の位置に位置し、該デバイスは、該領域の内側部分に向けて自身に入射する光を集束する第一の光学素子を備え、該領域の少なくとも１つの外側部分に該第一の光学素子を介して外側に向けて自身に入射する該光の一部を発散する屈折性の第二の光学素子を備えることを特徴とする、デバイスが提供される。
【００４８】
上記第二の素子は、鏡面反射であり得る。
【００４９】
上記第二の素子は、外部に反射する全体的に円環状の表面の表面を備え得る。
【００５０】
上記第一の素子は、空間の上記所定の二次元空間領域のサイズを変化させる制御可能な可変光学性能を有し得る。該第一の素子は、液晶レンズを備え得る。該第一の素子は、光軸方位角が制御可能である液晶層の軸に実質的にインデックスが合致するレンズを備え得る。
【００５１】
上記第二の素子は、上記領域の複数の外側部分に向かって入射する上記光の上記一部を発散するようにアレンジされ得る。
【００５２】
上記領域は、全体的に長方形であり得る。上記外側部分は、該全体的に長方形の領域のコーナー部分を備え得る。
【００５３】
上記第一の素子は、集光素子であり得る。
【００５４】
上記第一の素子は、屈折素子であり得る。該第一の素子は、凸型表面を有し得る。
【００５５】
上記第一の素子は、ホログラフィック光学素子を備え得る。
【００５６】
本発明の第五の局面に従うと、本発明の上記第一の局面から上記第四の局面のいずれか一局面に従うデバイスと、少なくとも１つの発光体とを備える、光源が提供される。
【００５７】
上記第一の素子は、上記少なくとも１つの発光体と上記第二の素子との間の光の経路に配置され得る。
【００５８】
上記少なくとも１つの発光体は、少なくとも１つの発光ダイオードのようなランベルト発光体を備え得る。
【００５９】
上記光源は、カメラフラッシュユニットを備え得る。
【００６０】
本発明の第六の局面に従うと、本発明の上記第五の局面に従う光源と、カメラとを備える装置が提供される。
【００６１】
上記装置は、モバイル電話またはセルラ電話、あるいはモバイル情報端末機器ＰＤＡを備え得る。
【００６２】
こうして、光源からある程度の距離離れた平面のような所望の視野全体にわたり良好な視野の均一性と、視野の中心での良好な輝度とを提供する光源に使用され得るデバイスを提供することが可能になる。発散光学素子を使用すると、より広い視野にわたる照明の制御強化が可能になり、例えば、モバイルデバイスで使用され得るような実質的にランベルトＬＥＤ光源の使用が容易になる。可動パーツのないコンパクトなデバイスが提供され得る。このようなデバイスは、小型軽量であり得、別個のアイテムとしてアダプタを持ち運びすることが不要なように、例えば、モバイルデバイスの一体型パーツとなり得る。
【発明を実施するための最良の形態】
【００６３】
本発明は、例によって、添付図面を参照して、さらに記載される。
【００６４】
図面全体を通じ、同様の参照番号は、同様のパーツを意味する。
【００６５】
図１は、左に異なる光源配置を示し、右にその光源が使用され得るカメラ視野における対応する照明分布の図を与える。図１の一番上の例において、光学素子の一切ない発光ダイオード（ＬＥＤ）発光体１の形態である実質的にランベルト光源が示され、対応する照明分布が２で示される。上述されたように、カメラ光学軸に垂直なカメラ視野における平面に存在する任意の点を介する光束は、ｃｏｓ４θ倍に比例する。ここで、θは、発光体を通過する平面への法線と、その平面における任意の点への発光体１を通過する線との間の角度である。
【００６６】
図１の真ん中の図は、ＬＥＤ発光体１の正面に集束レンズ３を配置した影響を示し、その結果得られる照明分布は、４で示される。この場合、カメラ視野平面の内側部分における照明は、かなり明るくなるが、外側部分における照明は、暗くなる。なぜなら、レンズ３は、外側部分から内側部分に向かって光を遠ざけるように効果的にリダイレクト（ｒｅｄｉｒｅｃｔ）からである。こうして、照明分布は、より広い視野に対して、レンズ３を有しないものより均一性が悪くなる。
【００６７】
図１における一番下の例は、光を再分布するための屈折発散素子または「構造」５の追加を示す。レンズ３が、発光体１と構造５との間に配置されているものとして示されているが、代替の配置において、構造５は、発光体１とレンズ３との間に配置され得る。構造５は、実質的な発散効果を一切有しないレンズ３からの光の一部を通過させるように配置されるが、光の一部が、カメラ視野平面の外側部分に導かれるように、レンズ３から外側に発散する原因となる。この結果得られる照明分布は、図６に示される。この場合、内側領域は、光学素子が一切ない発光体に対してよりも明るいが、外部領域は、分布２および４におけるよりも明るい。その結果、照明分布は実質的に、より均一になる。
【００６８】
図１は、光を部分的に再分布するための屈折構造５の使用を示す。これは、カメラ視野平面における照明の均一性をより大きく提供するためである。しかしながら、他の構造も、このような再分布を達成するために使用され、本発明の他の実施形態のセットを提供し得る。例えば、ホログラフィック光学素子のような回折構造は、屈折構造５の代わりに、またレンズ３の代わりに使用され得る。また、光を再分布する屈折構造が使用され得、このような配置の例は、本明細書の以下で記載される。
【００６９】
図２は、光学デバイスを（ａ）で透視図に、（ｂ）で正面図に示す。図２は、また、（ｃ）にこのようなデバイスを含む光源の側面図を、（ｄ）に光源の性能を示す表を示す。光学デバイスは、ガラスまたは成形透明プラスチックのような屈折材料の単一のピースから形成されるが、代替として、複数のピースからも形成され得る。光学デバイスは、集束レンズ３を構成する後方部分と、屈折発散構造５を構成する前方部分とを有する。レンズ部分３は、凸面の後方「集光（ｆｏｃｕｓｓｉｎｇ）」表面によって形成される。この表面は、球状、非球状、非対称、またはアナモルフィックであり得る。このデバイスの前方表面は、マルチファセットであり、凸型マルチファセット表面を形成するオープンボトムの逆切頭角錐（ｏｐｅｎ  ｂｏｔｔｏｍ  ｉｎｖｅｒｔｅｄ  ｔｒｕｎｃａｔｅｄ  ｐｙｒａｍｉｄ）の形状である。角錐トップ表面７は、平坦であり、構造５の非発散部分を形成する。これにより、レンズ３からこの部分を通過する光が、実質的に発散構造５によって影響されないようになる。凸表面は、さらに平坦な面８〜１１を備える。これらの面は、レンズ３からの光が光学素子の光軸から外側に離れて発散するようにするために、面７に対して傾斜している。
【００７０】
図２の（ａ）および（ｂ）に示される光学素子は、（ｃ）の光源の一部として示され、この光源は、ＬＥＤ発光体または光源１をさらに備える。光源１は、レンズ３を構成する集光表面の近傍に示されているが、光源１は、代替として、発散構造５の凸型表面近傍にあるように、光学デバイスのもう一方の側に配置され得る。
【００７１】
図２の（ｄ）に示される表は、図３に示される幾何学を有するカメラに対するフラッシュユニットとして光源が使用されるとき、その光源の例の性能を示す。図３は、幅が１．７２ｍで高さが１．２９ｍである照明平面１５を示す。照明平面１５は、フラッシュユニット１６からの距離が１．５ｍにあるカメラの視野を示す。光学デバイスは、直径が５．６ｍｍで、長さが２．５ｍｍであり、直径が２ｍｍであるＬＥＤ光源の前に配置される。図３は、照明平面の中心を１７で示しており、同時にフラッシュユニット１６の中心を通過する平面１５の中心１７への法線１８とともに示す。このフラッシュユニット１６は、照明平面１５を直接ポインティング（ｐｏｉｎｔｉｎｇ）している。平面１５の各点を介する光束は、ｃｏｓ４θに実質的に比例する。ここで、θは、法線１８と、平面１５上の点とフラッシュユニット１６の中心とを通過する線との間の角度である。平面１５は、最も低い光束が、各コーナー（例えば、１９）で生じるような長方形である。フラッシュユニット１６の中心を通過するコーナー１９からの線は、２０で示され、フラッシュユニット１６での法線１８と３７°の角度を形成する。図２の（ｄ）の表に百分率として示される「均一性」は、平面１５の中心１７での最も高い光束に対する最も低い光束（例えば、平面１５のコーナー１９）の比である。
【００７２】
図２の表に示されるように、また本明細書で上述されたように、ＬＥＤ光源１のみの均一性は、４２％であり、輝度が１として表わされる。発光体１の前にレンズ３を有する図１の真ん中に示される例に対して、中心での相対輝度は、１．８であるが、均一性は８％である。図２の（ｃ）で示され、本明細書で上述された特性を有する光源は、相対輝度は、１．３で、均一性は５１％である。この光学デバイスと、このようなデバイスを含む光源とは、したがって、平面１５に良好な照明輝度を提供する一方、改善された照明の均一性を提供する。
【００７３】
素子３および５は、屈折材料の単一のピースのそれぞれの表面によって構成されるように示されているが、これらは別個の素子として形成され得る。また、単一の集束素子および単一の発散素子が記載されてきたが、いずれも、１つ以上のピースの屈折材料上に、あるいはその１つ以上のピースの屈折材料の中に形成される複数の別個の素子を備え得る。集束素子および発散素子を備える光学デバイスは、既存の光源に対する付属品として使用され得る。代替として、光学デバイスは、光源の一部であり得る。さらに、これらの素子の一方または双方は、取り外し可能であり得る。
【００７４】
光学デバイスは、カメラフラッシュユニットの中で、あるいはそのユニットとともに使用され得るが、他の目的に対しても、例えば、懐中電灯またはスポットライトの中で使用され得る。
【００７５】
図４は、発散構造５のマルチファセットの凹型表面が、８つの円形セクタ形状の面３１〜３８を備える点で、図２に示されるのとは異なる光学デバイスを示す。面３１〜３８のうちの幾つかは、発散構造５の光学的集束サブ構造を形成するように、それら自身が凹型である。これらの凹型面は、レンズのセクションを効率的に構成し、球状凹型、非球状凹型、アナモルフィック凹型、または円柱状凹型であり得る。
【００７６】
面３１〜３８のうちの一部は、構造５の非発散および非集束部分を提供するようにするように、平坦であり得る。凹型面は、１つ以上の面のセットとして配置され得る。ここで、これらのセットは、異なる曲率および／または異なる曲率中心を有する。また、面３１〜３８の一部が集束することも可能である。
【００７７】
図５は、図４に示されるタイプの光学デバイスの面３１〜３８の特定の例のタイプを示す。セクションラインを有する正面図が、再び示され、対応するセクション１〜３が、図５に示される。セクション１は、水平面内のセクションであり、面３３および３７が共通の凹型で球状または円柱状の表面のセグメントであることを示す。セクション２は、セクション１の平面に対して４５°である、光学デバイスの軸を介する平面にとられる。それゆえ、セクション平面は、面３２および３６を通過し、セクション３４および３８を通過する同等な平面と同じ形状を有する。セクション２は、面３２および面３６が、球状または円柱状であり得る共通の凹型表面のセグメントであることを示す。セクション２の曲率半径は、セクション１の曲率半径よりも小さい。
【００７８】
セクション３は、面３１および３５を介する垂直平面上にとられる。断面図によって示されるように、面３１および３５は、共通の凸型表面のセグメントであり、例えば、円状または円柱状であり得る。したがって、面３１および３５は、光学的に集束し、典型的な例では、所望の視野が幅より小さい高さを有するときに、使用され得る。残りの面は、照明の均一性を改善するために、光学的に発散する。図４の表に示されるように、このような配置は、１．４の相対輝度および５４％の均一性を達成する。
【００７９】
図６に示される光学デバイスは、図２に示される光学デバイスとは、構造５の凹型表面、すなわち発散表面が３つのセクションからなる凹型円柱状レンズを備える点で異なる。特に、表面は、上部セクション４１と下部セクション４２との間に、中央セクション４０を有する。
【００８０】
セクション４０は、円柱状凹型表面の長方形セクションを備え、ここで、円柱の軸は、水平に向いている。セクション４１および４２は、共通の円柱状凹型表面のセグメントであり、ここで、円柱の軸は、垂直に向いている。セクション４０の曲率は、セクション４１および４２の曲率とは異なる。表面４０〜４２は全体的に円柱状でないこともあり得る。
【００８１】
図７は、図６の光学デバイスの垂直および水平の断面図を示す。図６の（ｄ）の表に示されるように、（ｃ）に示される光源は、１．３の相対輝度および６５％の均一性を達成する。
【００８２】
図８は、集束表面と発散表面とが、集束光学的機能と発散光学的機能との双方を実行する単一の複合表面に、どのように組み合わされるかの２つの例を示す。図８の上部は、図２に示される実施形態に対するこの例を示し、下部は、図７に示される実施形態に対するこの例を示す。
【００８３】
図８の上部において、角錐発散表面が、同等な光学的マイクロ構造に効率的に分割され、光学デバイスの後方に組み合わされた集束・発散表面５３を形成するように、集光表面の構造に重ね合わされる。前方表面５４は、平面であり、光学的「パワー」を全く有しない。
【００８４】
後方表面５３は、図２の表面３の対応するパーツと同じ形状を有する中央部分５３ａを有する。なぜなら、非発散面７との組み合わせは、全く効果を有しないからである。５３ｂのような表面５３の他の部分は、表面の全般的な外形は、表面３の対応する部分と同じであるが、詳細な構造は、傾斜面８〜１１のうちの一つに対応する三角形の峰（ｒｉｄｇｅ）を有する。これは、傾斜面のフレネル等価を組み込んだ領域５３ｂにおけるマイクロ構造を提供するものと考えられ得る。
【００８５】
図８の下部は、図７の光学デバイスから、組み合わされた後方表面５５を有する同等なデバイスへの変換を示す。後方表面５５の形状は、発散セクション４０〜４２の形状と集光表面３との形状の組み合わせを示す。結果として得られる光学デバイスの側面図は、５６で示され、平面図は、５７で示される。再び、前方表面５４は、光学的パワーを全く有しないように、平面である。
【００８６】
図９は、図２に示される光学デバイスと、発散素子５が平面外部面５４とプロファイル付き「内部」面を有する点で異なる光学デバイスを示す。この内部面は、三角形の「輝度強化フィルム」（「ＢＥＦ」）構造の形態でセクション６１と６２との間に、光学的に平坦なセクションまたは表面６０を備える。特に、内部表面のセクション６１および６２は、６５に詳細に示される内向きに尖った二等辺三角形の断面の垂直な溝をその中に形成される。素子３および５は、屈折材料の別個のピースに形成される。これらのピースは、素子３の前方平面表面が溝６６に対して隣接し、効率的に近づくように、例えば、ガラスより低い屈折率（ｒｅｆｒａｃｔｉｖｅ  ｉｎｄｅｘ）を有する光学セメントによって、一緒に取り付けられる。この溝は、こうして、素子３および５を形成するガラス内に、三角形の断面の細長いポケットを形成する。上述のように、これは、ディスプレイの輝度を強調するために使用されるタイプのＢＥＦ構造に似ている。
【００８７】
隣接するＢＥＦセクション６１および６２は、発散表面として機能するのに対し、素子５の後方表面の光学的に平坦なセクション６０は、光学パワーを有しない。したがって、（ｃ）に示される光源は、１．３の相対輝度および６５％の均一性を提供する。
【００８８】
代替の実施形態において、図２のセクション７および図６のセクション４０が省かれ得るように、セクション６０は、省かれ得る。
【００８９】
図１０は、平凸集束レンズ３と、２つのマイクロレンズアレイが互いに組み合わさるように形成される個別の発散素子５とを備える光学デバイスを示す。マイクロレンズアレイ５は、レンズ３とＬＥＤ光源１との間に配置される。マイクロレンズアレイは、同一のものとして示されているが、これは本質的ではなく、同一でないマイクロレンズアレイも使用され得る。マイクロレンズアレイは、後方アレイのマイクロレンズの焦点距離だけ効率的に間隔を空けられる。したがって、７０のような各マイクロレンズの焦点は、前方アレイの対応するマイクロレンズ（例えば、７１）の表面にある（また、マイクロレンズが互いに同一の場合は、その逆も成り立つ）。
【００９０】
前方および後方のマイクロレンズアレイのセグメントの詳細は、７２および７３に示される。マイクロレンズは、長方形の形状であり、球状表面を有する凸型である。代替として、マイクロレンズアレイは、屈折媒体の内側に形成され得る。この場合、マイクロレンズの表面は、凹型になる。
【００９１】
この配置は、１．４の相対輝度および５６％の均一性を達成する。
【００９２】
図１１は、光学デバイスと光源とを示し、ここで、集束素子または集光素子は、平凸レンズ３を備え、発散素子５は、図１１に示されるような光源１に対して配置される反射体を備える。反射体５は、反射外部表面を有するトーラスの一部を効率的に備える。したがって、反射体５は、光源の光軸１００の回りで、円状称である。反射体５は、また、軸１００を含む各平面内に円形弓形断面を有する。
【００９３】
反射体は、好ましくは、入射光のうちの実質的に１００％を反射し、好ましくは、鏡面反射体である。考えられる代替として、反射体は、部分的に鏡面、半反射、または拡散であり得る。
【００９４】
図示された実施形態は、２．６の相対輝度および５６％の均一性を達成する。
【００９５】
本明細書で前述された屈折、集束、および発散素子は、固定光学特性を有するガラス材料またはプラスチック材料のレンズとして示されてきたが、照明の可変フィールドまたは「ズーム」機能を提供するために、１つ以上の「固定」レンズ表面を「可変」レンズ表面に置換することも可能である。このような可変配置は、可変視野を有するカメラまたは他のデバイスにとって有用であり得る。例えば、デジタルまたは光学ズーム能力を有するカメラの場合、可変フラッシュユニットは、カメラ視野に照明フィールドを手動または自動で適応するために提供され得る。このような配置は、より広い視野に対する照明の改善も提供しながら、より狭い視野に対する照明の改善も可能とする。
【００９６】
このような可変光源は、１つ以上の光学素子を１つ以上の液晶レンズとして具現化することで形成され得る。例えば、屈折率分布型（ＧＲＩＮ）レンズまたはモーダル処理（ｍｏｄａｌｌｙ  ａｄｄｒｅｓｓｅｄ）液晶レンズは、１つ以上の固定レンズまたはレンズ表面の代わりに使用され得る。連続表面は不連続表面よりも製造がより易しいが、このような可変レンズは、適切なマイクロパターニングまたは電気制御によって制御され得る。
【００９７】
代替の配置において、このレンズのうちの１つ以上を形成するガラスまたはプラスチックは、液晶の１つの軸に合致する屈折率を有し得る。レンズの表面は、透明な電極層（例えば、インジウムスズ酸化物（ＩＴＯ））を備える。液晶層は、この電極層と光学的に平坦なガラスのピース上に形成された別のＩＴＯ電極をの間に配置される。ＩＴＯ電極間に印加された電界を変化させることによって、表面とエアとの間の相対屈折率が変化し得るように、液晶ディレクタ（ｄｉｒｅｃｔｏｒ）の方向は、変化し得る。これによって、可変レンズの光学パワーが、照明フィールドの制御を提供するように制御され得る。偏光発光体は、適切に使用され得る。
【図面の簡単な説明】
【００９８】
【図１】図１は、本発明の実施形態のセットのコンセプトを示す図である。
【図２】図２は、本発明の第一の実施形態を構成する光学デバイスおよび光源を示す図である。
【図３】図３は、図示された実施形態の性能を計算するために使用される特定の例の配置を示す図である。
【図４】図４は、本発明の第二の実施形態を構成する光学デバイスおよび光源を示す図である。
【図５】図５は、図４の光学デバイスの例を示す図である。
【図６】図６は、本発明の第三の実施形態を構成する光学デバイスおよび光源を示す図である。
【図７】図７は、図６の光学デバイスの詳細を示す図である。
【図８】図８は、本発明の実施形態の第一の素子および第二の素子が、単一の表面内でどのように組み合わされ得るかを示す図である。
【図９】図９は、本発明の第四の実施形態を構成する光学デバイスおよび光源を示す図である。
【図１０】図１０は、光学デバイスの比較例を示す図である。
【図１１】図１１は、本発明の第五の実施形態を構成する光学デバイスおよび光源を示す図である。
【図１】
2008524636.tif 000005
【図２】
2008524636.tif 000006
【図３】
2008524636.tif 000007
【図４】
2008524636.tif 000008
【図５】
2008524636.tif 000009
【図６】
2008524636.tif 000010
【図７】
2008524636.tif 000011
【図８】
2008524636.tif 000012
【図９】
2008524636.tif 000013
【図１０】
2008524636.tif 000014
【図１１】
2008524636.tif 000015
【国際調査報告】
2008524636.tif 000016
2008524636.tif 000017
2008524636.tif 000018
2008524636.tif 000019
2008524636.tif 000020